(57)【要約】  本発明は、紙ウェブを巻くための装置に関する。それは、紙が巻かれることができる回転可能に設けられたリールスプール（３）と、空気に対して透過性を有し且つ支持ロール（１２）により支持されるエンドレス可撓性ベルト（５）とを備える。可撓性ベルトは、リールスプール（３）に隣接して配置され、巻き付け中ウェブをリールスプールに対して係合させ、エンドレス可撓性ベルトが移動の経路から偏向される。可撓性ベルトはウェブ接触サイド（６）を有する。アクチュエータ（９）は、リールスプール（３）及び可撓性ベルトを互いに対して位置決めして、偏向の量を変えるように構成される。装置はさらに、可撓性ベルトが紙と接触しないポイントで、可撓性ベルトのウェブ接触サイドに対して空気を吹き付けるための少なくとも１つのノズルを有するクリーニングデバイス（１１）を備える。本発明はまた、ダスト粒子を除去する方法に関する。
2019518684.tif 000002
【特許請求の範囲】
【請求項１】
紙材のウェブを巻いてロール（２）にするための装置（１）であって、前記装置（１）は、回転可能に設けられるリールスプール（３）であって、増大する径のロールを作るように前記リールスプール（３）上に紙ウェブが巻かれることができる、リールスプール（３）と；空気に対する透過性を有し、移動の所定経路に沿った回転のために複数の支持ロール（１２）により支持されてループを形成するエンドレス可撓性ベルト（５）であって、前記移動の所定経路は前記支持ロール（１２）の周囲の前記エンドレス可撓性ベルト（５）の経路によって定められ、前記エンドレス可撓性ベルト（５）は前記リールスプール（３）に隣り合って位置決めされて巻いている間前記ウェブを前記リールスプール（３）に対して係合させ、それによって前記エンドレス可撓性ベルト（５）は、前記リールスプール（３）上に巻かれた紙の量に関連する量だけ、前記移動の所定経路から偏向され、前記エンドレス可撓性ベルト（５）は、巻いている間前記リールスプール（３）上の紙に接触するウェブ接触サイド（６）と、前記リールスプール（３）上の紙から離れるように向けられる内側サイド（７）とを有する、エンドレス可撓性ベルトと；前記エンドレス可撓性ベルト（５）に隣り合って設けられる偏向センサ（８）であって、前記偏向センサ（８）は前記移動の所定経路からの前記エンドレス可撓性ベルトの偏向の量を測定するように構成されている、偏向センサと；前記リールスプール（３）及び前記エンドレス可撓性ベルト（５）をお互いに対して位置決めして前記エンドレス可撓性ベルト（５）の偏向の量を変えるアクチュエータ（９）と；前記偏向センサ（８）及び前記アクチュエータ（９）に接続され、前記ロール（２）が径を増大させる際に前記エンドレス可撓性ベルト（５）の偏向の量を制御するためのコントローラ（１０）と；前記エンドレス可撓性ベルトの前記ループの内側に配置され且つ前記ループの内側においてアンダープレッシャーを作り出すように構成され、それにより、回転可能に設けられる前記スプール（３）に向かって前記エンドレス可撓性ベルト（５）上を移動する紙ウェブが前記エンドレス可撓性ベルト（５）に対して引きつけられる、デバイスと、を備え、前記装置は、少なくとも１つのクリーニングデバイス（１１）を更に備え、前記クリーニングデバイスは、少なくとも一つの空気ノズルを備え、前記クリーニングデバイスは前記エンドレス可撓性ベルト（５）の２つのサイド（６、７）のうちの少なくとも一方に対して加圧された空気を吹き付けることができるように構成され、前記エンドレス可撓性ベルト（５）の前記ウェブ接触サイド（６）の表面からダスト粒子が取り除かれるように、前記少なくとも１つのクリーニングデバイス（１１）は、前記エンドレス可撓性ベルト（５）が前記紙材に接触しないポイントにおいて、前記エンドレス可撓性ベルト（５）の前記ウェブ接触サイド（６）に対して空気を吹き付けるように構成されることを特徴とする装置。
【請求項２】
前記少なくとも１つのクリーニングデバイスは、前記エンドレス可撓性ベルトの幅の少なくとも８０％にわたって、好ましくは前記エンドレス可撓性ベルト（５）の幅の少なくとも９０％にわたって、加圧された空気を吹き付けることができるように構成されている、請求項１に記載の装置。  
【請求項３】
前記少なくとも１つの空気ノズル（１３）は、前記少なくとも１つのノズル（１３）からの加圧された空気が、それが前記ノズル（１３）から前記エンドレス可撓性ベルト（５）の表面に到達するまでに２５ｍｍよりも大きく移動する必要がないような、前記エンドレス可撓性ベルト（５）からの距離において前記可撓性部材の表面に対する角度で、配置される請求項１に記載の装置。
【請求項４】
前記少なくとも１つのノズル（１３）と前記エンドレス可撓性ベルト（５）との間の距離は、５ｍｍ〜２０ｍｍの範囲にあり、好ましくは１０ｍｍ〜１５ｍｍの範囲にある、請求項３に記載の装置。  
【請求項５】
前記少なくとも１つのクリーニングデバイス（１１）は、前記エンドレス可撓性ベルト（５）の前記内側サイド（７）に対して空気を吹き付けるように構成されている、請求項１に記載の装置（１）。
【請求項６】
前記少なくとも１つのクリーニングデバイス（１１）は、前記エンドレス可撓性ベルト（５）が支持ロール（１２）上を通過するポイントにおいて、前記エンドレス可撓性ベルト（５）の前記ウェブ接触サイド（６）に対して空気を吹き付けて、それによって前記エンドレス可撓性ベルト（５）の前記内側サイド（７）が前記支持ロール（１２）に接触する際に、前記空気が前記エンドレス可撓性ベルトの前記ウェブ接触サイド（６）に対して吹き付けられるように構成されている、請求項１に記載の装置。
【請求項７】
前記少なくとも１つのクリーニングデバイス（１１）は、前記エンドレス可撓性ベルト（５）の少なくとも１つのサイド（６，７）に対して加圧された空気を吹き付けるように構成される複数のノズル（１３）を備え、前記ノズルは、前記エンドレス可撓性ベルト（５）が移動する方向に対して垂直な方向に分布されており、前記複数のノズル（１３）は前記エンドレス可撓性ベルト（５）の全幅にわたって広がっており、それによって前記エンドレス可撓性ベルト（５）の少なくとも１つのサイド（６、７）がその全幅にわたって加圧された空気にさらされことができる、請求項１に記載の装置。
【請求項８】
前記複数のノズル（１３）は、前記エンドレス可撓性ベルト（５）の全幅にわたって真っ直ぐな列状に広がる、請求項７に記載の装置（１）。
【請求項９】
前記少なくとも１つのクリーニングデバイス（１１）は、前記エンドレス可撓性ベルト（５）の少なくとも１つのサイド（６，７）に対して加圧された空気を吹き付けるように構成される少なくとも１つのノズル（１３）を備え、前記少なくとも１つのノズル（１３）は、前記エンドレス可撓性ベルト（５）がそれがその所定経路を辿る際に移動する方向に対して少なくとも部分的に垂直な方向に移動可能に構成されている、請求項１に記載の装置。
【請求項１０】
請求項１〜１０のいずれかに記載の装置（１）からダスト粒子を取り除く方法であって、前記方法は、ダスト粒子が前記エンドレス可撓性ベルト（５）から吹き飛ばされるように、前記エンドレス可撓性ベルト（５）の２つのサイド（６，７）のうちの少なくとも一方に加圧された空気を吹き付けることを含み、前記方法は、前記エンドレス可撓性ベルト（５）の前記ウェブ接触サイド（６）の表面からダスト粒子が取り除かれるように、前記エンドレス可撓性ベルト（５）が前記紙材に接触しないポイントにおいて、前記エンドレス可撓性ベルト（５）の前記ウェブ接触サイド（６）に対して空気を吹き付けることを含む方法。
【請求項１１】
前記方法は、前記エンドレス可撓性ベルト（５）の前記内側サイド（７）に対して空気を吹き付けることも含む、請求項１０に記載の方法。
【請求項１２】
加圧された空気が前記エンドレス可撓性ベルト（５）の全幅にわたって吹き付けられる、請求項１０に記載の方法。
【請求項１３】
前記エンドレス可撓性ベルト（５）に対して加圧された空気を吹き付ける少なくとも１つのノズル（１３）は、前記エンドレス可撓性ベルト（５）がそれがその所定経路を辿る際に移動する方向に対して少なくとも部分的に垂直な方向に、前記エンドレス可撓性ベルト（５）を横切るように移動させられる、請求項１２に記載の方法。  
【請求項１４】
少なくとも１つのノズル（１３）が、前記エンドレス可撓性ベルト（５）が支持ロール（１２）上を通過するポイントにおいて、前記エンドレス可撓性ベルト（５）の前記ウェブ接触サイド（６）に対して加圧された空気を吹き付け、それによって、前記エンドレス可撓性ベルトの前記内側サイド（７）が前記支持ロール（１２）に接触する際に、前記空気が前記エンドレス可撓性ベルトの前記ウェブ接触サイド（６）に対して吹き付けられる、請求項１０に記載の方法。
【請求項１５】
前記クリーニングデバイス（１１）には、少なくとも３バールである過度の圧力を有する加圧された空気が供給される、請求項１０に記載の方法。
【発明の詳細な説明】
【技術分野】
【０００１】
本発明は、紙材のウェブを巻いてロールにするための装置、及び紙材のウェブを巻いてロールにするための装置からダスト粒子を除去する方法に関する。
【背景技術】
【０００２】
製紙機械において、既製の紙ウェブはリールに巻き付けられて紙ロールを形成する。これは、通常、リールアップ（ｒｅｅｌ−ｕｐ）と呼ばれる装置において行われる。多くのリールアップにおいて、巻き／巻き取り動作はＰｏｐｅタイプのリールアップで行われ、当該Ｐｏｐｅタイプのリールアップでは、紙ウェブがリール上に巻かれている際に、支持シリンダが紙リールに押し付けられる。米国特許第５９０１９１８号には異なる種類のリールアップが開示されており、当該リールアップでは可撓性ベルトのような可撓性部材に対して紙ロールが巻き付けられる。ベルトの偏向を測定し且つベルトに対するリールスプールの位置を調整することによって、ベルトとロール紙との間のニップ圧を制御することが可能である。米国特許第５９０１９１８号に開示されているタイプのリールアップは、しばしばベルトリールと呼ばれる。本発明の目的は、稼働をより信頼性のあるものにするようにベルトリールの稼働を向上させることである。この目的は、以下に説明されるように、本発明によって達成される。
【先行技術文献】
【特許文献】
【０００３】
【特許文献１】米国特許第５９０１９１８号
【発明の概要】
【０００４】
紙材のウェブを巻いてロールにするための発明に関する装置は、回転可能に設けられるリールスプールを備え、増大する径のロールを作り出すように、当該リールスプール上には紙ウェブが巻かれることができる。発明に関する装置はまたエンドレス可撓性ベルトを含み、当該エンドレス可撓性ベルトは、空気に対して透過性を有し、移動の所定経路に沿った回転のために複数の支持ロールによって支持されている。したがって、エンドレス可撓性ベルトはループを形成し、その移動の所定経路は、それらの支持ロールの周りにおけるエンドレス可撓性ベルトの経路によって定められる。エンドレス可撓性ベルトは、巻いている間ウェブをリールスプールに対して係合させるようにリールスプールに隣接して位置し、リールスプール上に巻き取られる紙の量に関連する量だけエンドレス可撓性ベルトが移動の所定経路から偏向される。エンドレス可撓性ベルトは、巻いている間リールスプール上の紙に接触するウェブ接触サイドと、リールスプール上の紙から離れる方向に向く内側サイドと、を有する。発明に関する装置はまた、エンドレス可撓性ベルトに隣接して設けられる偏向センサを備え、偏向センサは、移動の所定経路からのエンドレス可撓性ベルトの偏向の量を測定するように構成されている。発明に関する装置は、リールスプール及びエンドレス可撓性ベルトをお互いに対して位置決めしてエンドレス可撓性ベルトの偏向の量を変えるためのアクチュエータをさらに備える。ロールが径を増大させる際に、コントローラはエンドレス可撓性ベルトの偏向の量を制御するためのアクチュエータ及び偏向センサに接続される。さらに、発明に関する装置は、エンドレス可撓性ベルトのループの内側に配置され且つループの内側にアンダープレッシャー（ｕｎｄｅｒｐｒｅｓｓｕｒｅ）を生成するように構成されるアンダープレッシャーを生成するデバイスを備え、それによって回転可能に設けられるスプールに向かってエンドレス可撓性ベルト上を移動する紙ウェブがエンドレス可撓性ベルトに対して引きつけられる。その装置は少なくとも１つのクリーニングデバイスをさらに備え、そのクリーニングデバイスは少なくとも１つの空気ノズルを備え、そのクリーニングデバイスは、エンドレス可撓性ベルトの２つのサイドのうちの少なくとも一方に対して加圧された空気を吹き付けることができるように構成されている。本発明によれば、少なくとも１つのクリーニングデバイスは、エンドレス可撓性ベルトが紙材に接触していないポイントにおいて、エンドレス可撓性ベルトのウェブ接触サイドに対して空気を吹き付けるように構成され、それによってエンドレス可撓性ベルトのウェブ接触サイドの面からダスト粒子が除去される。
【０００５】
本発明の複数の実施形態において、少なくとも１つのクリーニングデバイスは、エンドレス可撓性ベルトの幅の少なくとも８０％にわたって、好ましくはエンドレス可撓性ベルトの幅の少なくとも９０％にわたって、加圧された空気を吹き付けることができるように構成される。
【０００６】
本発明の複数の実施形態において、少なくとも１つのノズルからの加圧された空気が、それがエンドレス可撓性ベルトの表面に届くまでにノズルから２５ｍｍよりも大きく移動する必要がないような、エンドレス可撓性ベルトからの距離において且つ可撓性部材の表面に対する角度で、少なくとも１つの空気ノズルは設けられている。そのような実施形態において、少なくとも１つのノズルとエンドレス可撓性ベルトとの間の距離は、任意で、５ｍｍ〜２０ｍｍの範囲で、好ましくは１０ｍｍ〜１５ｍｍの範囲であってもよい。
【０００７】
本発明の複数の実施形態において、少なくとも１つのクリーニングデバイスは、エンドレス可撓性ベルトの内側サイドに対して空気を吹き付けるように構成されてもよい。
【０００８】
本発明の複数の実施形態において、少なくとも１つのクリーニングデバイスは、加圧された空気をエンドレス可撓性ベルト５の少なくとも１つのサイドに対して吹き付けるように設けられる複数のノズルを備え、それらのノズルは、エンドレス可撓性ベルトが移動する方向に対して直角を成す方向へ分布され、その複数のノズルがエンドレス可撓性ベルトの全幅にわたって広がっており、それによってエンドレス可撓性ベルトの少なくとも１つのサイドがその全幅にわたって加圧された空気にさらされることができる。
【０００９】
複数のノズルを使用する複数の実施形態において、複数のノズルは、エンドレス可撓性ベルトの全幅にわたって真っ直ぐな列状に広がっていてもよい。
【００１０】
本発明の複数の実施形態において、少なくとも１つのクリーニングデバイスは、加圧された空気をエンドレス可撓性ベルトの少なくとも１つのサイドに吹き付けるように設けられる少なくとも１つのノズルを備え、その少なくとも１つのノズルは、エンドレス可撓性ベルトがそれがその所定の経路を辿る際に移動する方向に対して少なくとも部分的に垂直である方向へ、移動可能であるように設けられている。
【００１１】
本発明はまた、発明に関する装置を使用する方法に関する。その方法は、エンドレス可撓性ベルトからダスト粒子が吹き飛ばされるように、エンドレス可撓性ベルトの２つのサイドのうちの少なくとも一方に対して加圧された空気を吹き付けることを含み、その方法は、ダスト粒子がエンドレス可撓性ベルトのウェブ接触サイドの表面から除去されるように、エンドレス可撓性ベルトが紙材に接触しないポイントにおいてエンドレス可撓性ベルトのウェブ接触サイドに対して空気を吹き付けることを含む。
【００１２】
本発明の複数の実施形態において、その方法は、エンドレス可撓性ベルトの内側サイドに対して空気を吹き付けることを含む。
【００１３】
発明に関する方法の複数の実施形態において、加圧された空気はエンドレス可撓性ベルトの全幅にわたって吹き付けられる。
【００１４】
発明に関する方法の複数の実施形態において、加圧された空気をエンドレス可撓性ベルトに対して吹き付ける少なくとも１つのノズルは、エンドレス可撓性ベルトがそれがその所定の経路を辿る際に移動する方向に対して少なくとも部分的に直角を成す方向へ、可撓性部材を横切るように移動させられる。
【００１５】
発明に関する方法の複数の実施形態において、少なくとも１つのノズルが、エンドレス可撓性ベルトが支持ロール上を通過するポイントにおいて、エンドレス可撓性ベルトのウェブ接触サイドに対して加圧された空気を吹き付けて、それにより、エンドレス可撓性ベルトの内側サイドが支持ロールに接触する際にエンドレス可撓性ベルトのウェブ接触サイドに対して空気が吹き付けられる。
【００１６】
発明に関する方法の複数の実施形態において、クリーニングデバイスには、３バール（ｂａｒ）以上の過度の圧力を有する加圧された空気が供給される。例えば、その過度の圧力は、３〜２５バール、３〜１６バール、３〜１０バール、又は４〜８バールの範囲内でありうる。その過度の圧力はまた、２５バールより高くてもよい。
【図面の簡単な説明】
【００１７】
【図１】図１は、本発明が関連し、本発明が使用されるリールアップの一部の概略側面図である。
【図２】図２は、図１と実質的に同様の側面図であるが、本発明による発明に関する設備が示されている。
【図３】図３は、図２及び図３による装置の一部を示し、それらの部分は拡大されている。
【図４】図４は、第１実施形態によって本発明がどのように実現されることができるかを示す。
【図５】図５は、図４と同様の図であるが、代替の実施形態を示す。
【発明を実施するための形態】
【００１８】
図１を参照すると、発明に関する装置１の全般的な機能が示されている。発明に関する装置１は、代替的にリールアップとも呼ばれうるものであり、それは紙材のウェブを巻いて／巻き取ってロール２にするように設計されている。紙材料、すなわち紙ウェブ、を巻く／巻き取る目的のために、装置は米国特許第５９０１９１８号に全般的に開示されているように機能する。紙ウェブＷはエンドレス可撓性ベルト５によって支持されている。紙材料、すなわち紙ウェブ、はエンドレス可撓性ベルト５によってニップポイントＣまで搬送され、当該ニップポイントＣではエンドレス可撓性部材５は紙ウェブをリールスプール３に対して係合させ、当該リールスプール３はキャリッジ１４において回転可能に設けられている。図１では見えないが、リールスプールの各軸方向端部は、そのようなキャリッジにおいて適切に支持されていることが理解されるべきである。紙ウェブがリールスプール３上に巻き取られるにつれて、増大する径の紙ロール２が形成される。エンドレス可撓性ベルト５は、移動の所定経路に沿った回転のために設けられ、巻いている間ウェブをリールスプール３に対して係合させるように、リールスプール３に隣接して配置される。エンドレス可撓性ベルト５は、複数の支持ロール１２によって支持され、それによって複数の支持ロール１２の周囲にエンドレス可撓性ベルト５の移動の経路によって移動の所定経路が定められるループを形成する。エンドレス可撓性ベルト５は、巻いている間にリールスプール３上において紙に接触するウェブ接触サイド６と、リールスプール３上の紙から離れる方向へ向く内側サイド７と、を有する。図１における参照番号３’は、現在のリールスプール３上の紙ロール２がそのフルサイズに達し、新しいリールスプールが必要な場合に、使用される空のリールスプールを表す。符号４によって象徴的に示されている駆動モータは、リールスプール３を駆動（回転）するように構成されうる。米国特許第５９０１９１８号に記載されているように、紙ロール２は、エンドレス可撓性ベルトが、距離Ｄだけ、その移動の所定の経路からある程度偏向させられる（図１参照）。紙ロール２が成長すると、これは、リールスプール３上に巻き取られる紙の量に関連するある量の偏向Ｄをもたらすことが理解されるであろう。リールスプール３が静止したままであるとすると、これは偏向Ｄを増大させて、それによって紙ロール２とエンドレス可撓性ベルトとの間のニップ力もそれによって増大する。徐々に増大するニップ力は、一定の製品特性を維持するという所望の目的に反するであろうし、そのゆえに避けられるべきである。ニップ力を所定の限度内に維持するために、リールスプール３の位置は、米国特許第５９０１９１８号に説明されているように変更されることができる。これは以下の方法で達成されることができる。偏向センサ８は、移動の所定経路からの偏向の量Ｄを測定し、コンピュータであってもよいコントローラ１０に信号を与える。センサ８は、レーザセンサであってもよいが、偏向を測定することができる他のセンサも使用されうる。コントローラ１０は、例えば有線によって又は無線の通信によって、リールスプール３を位置決めるために設けられるアクチュエータ９に対して接続され、それによってリールスプール３及びエンドレス可撓性ベルトはお互いに対して位置決めされることができる。このようにして、エンドレス可撓性ベルト５の偏向の量Ｄは制御されることができ、それは、巻きプロセスの制御が紙ロール２全体にわたって実質的に一定のシート特性を維持することを可能にする。これらの態様のより詳細な説明については、米国特許第５９０１９１８号が参照される。
【００１９】
ここで図２が参照される。紙ウェブＷがリールスプール３上に巻き取られるまで、紙ウェブＷがエンドレス可撓性ベルト５との良好な接触を維持することを確かにするために、エンドレス可撓性ベルトは空気が透過可能であってもよく、アンダープレッシャーを発生させるデバイス１５は、エンドレス可撓性ベルト５のループの内側に配置されることができ、エンドレス可撓性ベルト５上を回転可能に設けられるスプール３に向かって移動する紙ウェブＷがエンドレス可撓性ベルト５に対して引き寄せられるように、ループの内側にアンダープレッシャーを生成するように構成される。アンダープレッシャーを発生させるように構成される／設計されるデバイス１５は、例えば、吹き出しボックス又は吸引ボックスであってもよい。本発明の発明者は、リールアップがしばらくの間動作した後、紙ウェブは可撓性ベルト５に対して望ましいほどには常には引きつけられるとは限らないことに、注目した。これは、空気に対して透過性であるように設計されたエンドレス可撓性ベルト５が、微細な繊維粒子によって目詰まりを起こしてそれによりエンドレス可撓性ベルトの透過性が低下し、デバイス１５によって発生されるアンダープレッシャーが紙ウェブＷをエンドレス可撓性ベルト５に対して引き寄せことがもはや十分ではなく、少なくとも望ましいほどではないことによるものであることを、本発明者は見いだした。エンドレス可撓性ベルト５によって形成されるループは、しばしばそのサイドにおいて開放されうるので、繊維及び他のダスト粒子は、ウェブ接触サイド６及び内側サイド７の両方からエンドレス可撓性ベルトを詰まらせうる。この問題を解決するために、本発明者は、エンドレス可撓性ベルト５が連続的又は断続的に清掃されるべきであることを見いだした。本発明者は、エンドレス可撓性ベルト５が液体によって、例えばエンドレス可撓性ベルト５に対して方向付けられる水のジェットによって清掃される解決策を、検討した。しかしながら、本発明者は、エンドレス可撓性ベルト５を洗浄するために水のジェットが使用されることができるが、そのような解決策は欠点を有することを見つけた。水ジェットを使用することの１つの欠点は、エンドレス可撓性ベルト５がエンドレス可撓性ベルト５を湿らせることであり、この段階では乾燥しておくべきである紙ウェブＷにエンドレス可撓性ベルト５が接触するので、それは望ましくない。もちろん、水で洗浄した後にベルトを乾燥させるための余分なステップを行うことは可能であるが、それは余分な困難を加えるであろう。さらに、本発明者は、水ジェットを用いた洗浄は、もともと予想されていたほどにはダスト粒子を除去するのに有効ではないことを見いだした。実際、紙繊維からの粒子のようなダスト粒子は、エンドレス可撓性ベルト５の小さな開口部に詰め込まれうるものであり、それによってクリーニング作業にもかかわらずベルト５が詰まることがある。そして本発明者は、加圧された空気のジェットが、エンドレス可撓性ベルト５の目詰まりを防ぐ良好な洗浄効果を有することを見いだした。加圧された空気の使用はまた、エンドレス可撓性ベルト５が濡れることもないことを意味する。
【００２０】
したがって、本発明によれば、巻くための装置はクリーニングデバイス１１を更に備え、そのクリーニングデバイス１１は少なくとも１つの空気ノズル１３を備え、そのクリーニングデバイスは、エンドレス可撓性ベルト５の２つのサイド６、７のうちの少なくとも一方に対し、加圧された空気を吹き付けることができるように構成されている。
【００２１】
図２及び図３を参照すると、ウェブクリーニングデバイス１１のいくつかの代替位置が示されている。
【００２２】
図２に示すように、ウェブクリーニングデバイス１１は、エンドレス可撓性ベルト５のループの内側とループの外側の両方に配置されていてもよい。実際の実施形態では、ウェブクリーニングデバイス１１は、図２に示されたすべての位置で必ずしも使用されるわけではないことが理解されるべきである。１つのウェブクリーニングデバイス１１のみを使用する実施形態が考えられ、例えばそれがウェブ接触サイド６に対して加圧された空気を吹き付けることができるようにループの外側に配置される１つのみのウェブクリーニングデバイス１１を有する実施形態が考えられる。同様に、ループの内側に単一のウェブクリーニングデバイスが配置され、エンドレス可撓性ベルト５の内側サイド７に対して加圧された空気を吹き付けるように構成された実施形態が考えられる。好ましくは、少なくとも１つのクリーニングデバイス１１がエンドレス可撓性ベルト５のループの内側に配置されつつ、少なくとも１つのクリーニングデバイス１１がエンドレス可撓性ベルト５のループの外側に配置され、それによって加圧された空気が両サイドからエンドレス可撓性ベルト５に対して吹き付けられることができる。３つ、４つ又はそれ以上のクリーニングデバイス１１を有する実施形態も考えられる。例えば、図２に示すように配置された５つのクリーニングデバイス１１がありうる。
【００２３】
図３を参照すると、クリーニングデバイス１１は、エンドレス可撓性ベルト５のループの外側に配置されているものとして示されている。矢印Ｌは、クリーニングデバイス１１によってエンドレス可撓性ベルト５のウェブ接触サイド６（すなわち外側）に対して吹き付けられる加圧された空気を象徴的に示す。
【００２４】
好ましくは、少なくとも１つのクリーニングデバイス１１は、エンドレス可撓性ベルト５の幅の少なくとも８０％にわたって、好ましくはエンドレス可撓性ベルト５の幅の少なくとも９０％にわたって、加圧された空気を吹き付けることができるように構成される。多くの実際的な実施形態において、その少なくとも１つのクリーニングデバイス１１は、エンドレス可撓性ベルト５の全幅にわたって加圧された空気を吹き付けることができるように構成されることができ、また、クリーニングデバイス１１は、エンドレス可撓性ベルト５の全幅にわたって加圧された空気を吹き付けることができることが好ましい。
【００２５】
好ましくは、少なくとも１つの空気ノズルは、少なくとも１つのノズルからの加圧された空気が、それがエンドレス可撓性ベルト５の表面に到達するまでにノズルから２５ｍｍよりも大きく移動する必要がないような、エンドレス可撓性ベルト５からのそのような距離で及びエンドレス可撓性ベルト５の表面に対するそのような角度で、設けられる。その理由は、空気ジェットがエンドレス可撓性ベルト５に到達する際に、それがダスト粒子を吹き飛ばすのに十分なエネルギーを依然として有するべきであるからである。ここで、その距離が、使用される加圧された空気で使用される実際の過度な圧力に依存することが追加されてもよい。より高い過度の圧力は、通常、距離がより大きくなりうることを意味する。しかしながら、より低い過度の圧力は、より小さいエネルギーが必要とされ、より小さいノイズが生成されることを意味する。この理由のため、短い距離を使用することが望ましい場合がありうる。
【００２６】
本発明の複数の実施形態において、ノズルとベルトとの間の距離はほぼゼロに減少させられうるが、ベルトの経路が乱されうるので、またノズルは好ましくはエンドレス可撓性ベルト５と接触するべきではないので、一定の距離を保つことが有利でありうる。本発明者は、依然としてベルト５に対して非常に近接してダストの効果的な除去が保証される一方で、少なくとも１つのノズル１３が可撓性ベルト５と接触するというリスクを低減するために、少なくとも１つのノズル１３とエンドレス可撓性ベルト５との間の距離が５ｍｍ〜２０ｍｍの範囲、好ましくは１０ｍｍ〜１５ｍｍの範囲であるようにその距離を選択することが適切でありうるということを、見いだした。
【００２７】
少なくとも１つのクリーニングデバイス１１は、エンドレス可撓性ベルト５のウェブ接触サイド６に対して空気を吹き付けるように構成されている。これは、もちろん、エンドレス可撓性ベルト５が紙材と接触していないポイントで行われ、それによってエンドレス可撓性ベルト５のウェブ接触サイド６の表面からダスト粒子が除去される。そしてそれは、それがその後にニップポイントＣから所定の距離にあるポイントにおいて加圧された空気をエンドレス可撓性ベルト５に対して吹き付けて、それによってダスト粒子が紙ウェブＷ及びロール２に向かって吹き付けられないように、構成されうる。
【００２８】
本発明の複数の実施形態において、エンドレス可撓性ベルト５が支持ロール１２上を通過するポイントにおいてエンドレス可撓性ベルト５のウェブ接触サイド６に対して空気を吹き付けて、それにより、エンドレス可撓性ベルト５の内側サイド７が支持ロール１２に接触する際に空気がエンドレス可撓性ベルトのウェブ接触サイド６に対して吹き付けられるように、クリーニングデバイス１１は構成される。本発明のこの態様は図３において示されており、また例が図２に示されている。
【００２９】
ここで１つの可能な実施形態が図４を参照して説明される。図４は、横断機械方向の図である。図４において、クリーニングデバイス１１は、エンドレス可撓性ベルト５の少なくとも１つのサイド６、７に対して加圧された空気を吹き付けるように構成された複数のノズル１３を備える。図４及び図５において、参照番号１６は、加圧された空気のための供給導管／供給チューブを示す。図４の実施形態において、ノズル１３は、エンドレス可撓性ベルト５が移動する方向に対して垂直な方向に分布しており、すなわち、それらは、横断機械方向に分布している。図４において、複数のノズル１３は、エンドレス可撓性ベルト５の全幅にわたって広がっており、それによって、エンドレス可撓性ベルト５の少なくとも１つのサイド６、７がその全幅にわたって加圧された空気にさらされることができる。ノズル１３がエンドレス可撓性ベルト５の幅の一部のみを覆う複数の実施形態が考えられることが理解されるべきである。そのような実施形態において、第１のクリーニングデバイスは、エンドレス可撓性ベルト５の幅の一部を覆うように構成されうるものである一方で、第２の（後続の）クリーニングデバイス１１は、第１のクリーニングデバイスのノズル１３にさらされていなかったそれらの部分を覆う。複数のノズル１３は、エンドレス可撓性ベルト５の幅にわたって異なるパターンで配置されてもよい。例えば、それらは波形パターンで配置されてもよい。簡素にするために、複数のノズル１３が、エンドレス可撓性ベルト５の全幅にわたって直線状に広がることが好ましい。
【００３０】
図４において、矢印Ｄは、クリーニングデバイス１１がエンドレス可撓性ベルト５に向かって、又は可撓性ベルト５から離れるように、移動可能であってもよいことを示し、それによって、例えば、クリーニングデバイス１１がベルト５から離されるように移動させられなければならないように、ノズル１３がベルトに接触するリスクがある場合に、クリーニングデバイス１１とエンドレス可撓性ベルト５との間の距離は変えられうる。それに応じて、より効果的なクリーニングのために、クリーニングデバイス１１はベルト５の近くに移動させられることができる。アクチュエータ／駆動構成（図示せず）は、クリーニングデバイス１１に接続されてもよく、クリーニングデバイスをエンドレス可撓性ベルト５に向けて、又は離れるように移動させるように構成されてもよい。
【００３１】
ここで、図５を参照して実施形態を説明する。図５の実施形態では、クリーニングデバイス１１は、エンドレス可撓性ベルト５の少なくとも１つのサイド６、７に対して加圧された空気を吹き付けるように構成される少なくとも１つのノズル１３を備える。その少なくとも１つのノズル１３は、エンドレス可撓性ベルト５が、それがその所定の経路を辿る際に移動する方向に対して少なくとも部分的に垂直な方向ＣＤに移動可能に設けられている。好ましくは、それはエンドレス可撓性ベルト５が移動する方向に対して９０°である方向に移動可能である。アクチュエータ／駆動構成（図示せず）がクリーニングデバイス１１に接続されてもよく、クリーニングデバイスを矢印ＣＤで示されるようなＣＤ方向に移動させるように構成されてもよい。図４の実施形態における場合と同様に、クリーニングデバイス１１は、エンドレス可撓性ベルト５に向かって又はエンドレス可撓性ベルト５から離れるように移動可能であってもよい。
【００３２】
ここで、発明に関する方法は、エンドレス可撓性ベルト５からダスト粒子が吹き飛ばされるように、エンドレス可撓性ベルト５の２つのサイド６、７のうちの少なくとも１つに対して加圧された空気を吹き付けることを含むことが理解されるであろう。その空気は、エンドレス可撓性ベルトのウェブ接触サイド６において、又は内側サイド７及びウェブ接触サイド６の両方に対して、吹き付けられる。
【００３３】
エンドレス可撓性ベルト５のウェブ接触サイド６に対して空気が吹き付けられる場合、これはエンドレス可撓性ベルト５が紙材に接触していないポイントで行われ、それによってエンドレス可撓性ベルト５のウェブ接触サイド６の面からダスト粒子が取り除かれる。
【００３４】
加圧された空気は、好ましくは、エンドレス可撓性ベルト５の全幅にわたって吹き付けられる。
【００３５】
クリーニングデバイスは、好ましくは、少なくとも３バール、好ましくは３バールより高い過度の圧力を有する加圧された空気が供給されてもよい。例えば、過度の圧力は、３〜２５バール、３〜１６バール、３〜１０バール又は４〜８バールの範囲内であってもよい。過度の圧力はまた、２５バールより高くてもよい。
【００３６】
本発明のおかげで、紙ウェブＷとエンドレス可撓性ベルト５との間の接触が改善され、それはリールアップの動作を改善する。
【００３７】
本発明を装置及び方法に関してここで説明してきたが、これらのカテゴリは１つの同一の発明の異なる態様を反映するだけであることが理解されるべきである。したがって、発明に関する方法は、本発明の装置を使用することの必然的な結果となるようなステップを含んでいてもよく、そのようなステップが明示的に言及されているか否かにはかかわらない。
【図１】
2019518684.tif 000003
【図２】
2019518684.tif 000004
【図３】
2019518684.tif 000005
【図４】
2019518684.tif 000006
【図５】
2019518684.tif 000007
【国際調査報告】
2019518684.tif 000008
2019518684.tif 000009
2019518684.tif 000010